【手続補正書】
【提出日】平成19年11月9日(2007.11.9)
【手続補正１】
【補正対象書類名】特許請求の範囲
【補正対象項目名】全文
【補正方法】変更
【補正の内容】
【特許請求の範囲】
【請求項１】
遠心ファンを備える遠心ブロワであって、
中心軸の周りで回転するようになっているハブと、
前記中心軸の周りに配置された複数の第１羽根とを備え、前記各羽根は以下を画成する、すなわち、
前縁と、
後縁と、
前記前縁と後縁の間に延びる第１側縁であって、前記前縁から軸線方向に離れる方向で前記前縁から延び且つ前記後縁に向かって半径方向外側に延びる第１側縁と、
前記前縁と後縁の間に延びる第２側縁であって、前記第２側縁の一部は前記ハブの少なくとも一部と一体であり、前記前縁から軸線方向に離れる方向で前記前縁から延び且つ前記後縁に向かって半径方向外側に延びる第２側縁と、
前記羽根の前縁の最外半径として画成される入口半径と、
複数の前記第１羽根の第１及び第２の側縁の１つの少なくとも一部分と一体のシュラウドと、
前記シュラウドの最内半径として画成される中間半径と、
前記羽根を通って拡がりシリンダに接する第１面における湾曲であって、前記シリンダは前記羽根を通って延び前記中心軸に中心位置決めされ、前記シリンダは前記ハブの半径よりも大きく前記入口半径よりも小さい半径を持つ、前記湾曲と、
前記羽根を通って拡がり前記シリンダに接する第２面における湾曲無しの面であって、前記シリンダは前記羽根を通って延び前記中心軸に沿って中心位置決めされ、前記シリンダは前記中間半径よりも大きな半径を持つ面と、
を画成する第１羽根を備え、
前記ハブ、複数の第１羽根およびシュラウドは一体として形成されている、
ことを特徴とする遠心ブロワ。
【請求項２】
前記羽根の前縁は前記中心軸に対して略垂直であることを特徴とする請求項１に記載の遠心ブロワ。
【請求項３】
前記羽根の後縁は前記中心軸に対して略平行であることを特徴とする請求項１に記載の遠心ブロワ。
【請求項４】
前記シュラウドは、複数の前記第１羽根の前記各第１側縁の少なくとも一部に固定され共に回転する第１シュラウドであって、この第１シュラウドは複数の前記第１羽根の前記各第１側縁の輪郭の少なくとも一部に倣うように成形されている第１シュラウドを備えていることを特徴とする請求項１に記載の遠心ブロワ。
【請求項５】
前記中心軸の周りに配置されて前記第１シュラウドと一体となる複数の第２羽根であって、この複数の第２羽根は、前記羽根を通って拡がり且つ前記羽根を通って延び前記中心軸に沿って中心位置決めされるシリンダに接する面において湾曲していないことを特徴とする請求項４に記載の遠心ブロワ。
【請求項６】
前記第１シュラウドは円筒状部を備えていることを特徴とする請求項４に記載の遠心ブロワ。
【請求項７】
前記第１シュラウドの円筒状部は前記羽根の前縁と前記羽根の第１側縁との交差部の上流まで延びていることを特徴とする請求項６に記載の遠心ブロワ。
【請求項８】
前記シュラウドは、前記複数の第１羽根の前記各第２側縁の少なくとも一部と一体となり共に回転する第２シュラウドであり、この第２シュラウドは複数の前記第１羽根の前記各第２側縁の輪郭の少なくとも一部に倣うように成形されていることを特徴とする請求項１に記載の遠心ブロワ。
【請求項９】
複数の前記第１羽根の少なくともいくつかの前記各第１側縁の少なくとも一部に固定され共に回転する第１シュラウドを更に備え、この第１シュラウドは複数の前記第１羽根の前記各第１側縁の輪郭の少なくとも一部に倣うように成形されていることを特徴とする請求項８に記載の遠心ブロワ。
【請求項１０】
複数の前記第１羽根の少なくともいくつかの前記各第２側縁の少なくとも一部に固定され共に回転する第２シュラウドを更に備え、この第２シュラウドは複数の前記第１羽根の前記各第２側縁の輪郭の少なくとも一部に倣うように成形されていることを特徴とする請求項４に記載の遠心ブロワ。
【請求項１１】
前記第２シュラウドは複数の第２羽根と一体であり、複数の前記第２羽根は前記羽根を通って拡がり且つ前記羽根を通って延び前記中心軸に沿って中心位置決めされるシリンダに接する面において湾曲していないことを特徴とする請求項８に記載の遠心ブロワ。
【請求項１２】
複数の第２羽根を更に備え、複数の各第２羽根は前記第２シュラウドと一体であり、複数の前記第２羽根の各々は前記羽根を通って拡がり且つ前記羽根を通って延び前記中心軸に沿って中心位置決めされるシリンダに接する面において湾曲していないことを特徴とする請求項１０に記載の遠心ブロワ。
【請求項１３】
複数の第２羽根を更に備え、複数の各第２羽根は前記第１シュラウドと一体であり、複数の前記第２羽根の各々は前記羽根を通って拡がり且つ前記羽根を通って延び前記中心軸に沿って中心位置決めされるシリンダに接する面において湾曲していないことを特徴とする請求項９に記載の遠心ブロワ。
【請求項１４】
前記第２羽根は複数の前記第１羽根の各第２側縁の少なくとも一部と一体であることを特徴とする請求項１０に記載の遠心ブロワ。
【請求項１５】
前記遠心ファンはプラスチック射出成形されたことを特徴とする請求項１に記載の遠心ブロワ。
【請求項１６】
前記遠心ファンはプラスチック射出成形されたことを特徴とする請求項２に記載の遠心ブロワ。
【請求項１７】
前記遠心ファンはプラスチック射出成形されたことを特徴とする請求項４に記載の遠心ブロワ。
【請求項１８】
前記遠心ファンはプラスチック射出成形されたことを特徴とする請求項７に記載の遠心ブロワ。
【請求項１９】
前記各羽根は曲がった前縁を有していることを特徴とする請求項１に記載の遠心ブロワ。
【請求項２０】
前記各羽根は曲がった前縁を有していることを特徴とする請求項２に記載の遠心ブロワ。
【請求項２１】
前記各羽根は曲がった前縁を有していることを特徴とする請求項７に記載の遠心ブロワ。
【請求項２２】
前記各羽根は傾斜した前縁を有していることを特徴とする請求項１に記載の遠心ブロワ。
【請求項２３】
前記各羽根は傾斜した前縁を有していることを特徴とする請求項２に記載の遠心ブロワ。
【請求項２４】
前記各羽根は傾斜した前縁を有していることを特徴とする請求項７に記載の遠心ブロワ。
【請求項２５】
複数の前記羽根の各第１側縁の一部に面する関係で緊密に近接し、複数の前記羽根の各第１側縁の輪郭の一部に倣うように成形されている第１非回転シュラウドを更に備え、この第１非回転シュラウドは前記ハブと同心に配置されていることを特徴とする請求項１〜２４のいずれか一項に記載の遠心ブロワ。
【請求項２６】
複数の前記羽根の各第２側縁の少なくとも一部に面する関係で緊密に近接し、複数の前記羽根の各第２側縁の輪郭の少なくとも一部に倣うように成形されている第２非回転シュラウドを更に備え、この第２非回転シュラウドは前記ハブと同心に配置されていることを特徴とする請求項１〜２４のいずれか一項に記載の遠心ブロワ。
【請求項２７】
前記第１非回転シュラウドは前記中心軸を含む面において湾曲していることを特徴とする請求項２５に記載の遠心ブロワ。
【請求項２８】
前記第２非回転シュラウドは前記中心軸を含む面において湾曲していることを特徴とする請求項２６に記載の遠心ブロワ。
【請求項２９】
前記ファンを概ね収容して入口及び出口を画定するブロワハウジングを更に備え、このブロワハウジングは入口及び出口を画定し、前記第２非回転シュラウドは前記ブロワハウジングに固定されていることを特徴とする請求項２６に記載の遠心ブロワ。
【請求項３０】
前記ファンを概ね収容して入口及び出口を画定するブロワハウジングと、このブロワハウジングに結合されるモータハウジングと、前記モータハウジングに支持され前記遠心ファンのハブに駆動可能に接続された駆動軸を有するモータを更に備え、前記モータハウジングを前記ブロワハウジングに少なくとも部分的に支持するフランジを更に備え、前記第２非回転シュラウドは前記フランジと一体であることを特徴とする請求項２６に記載の遠心ブロワ。
【請求項３１】
前記ファンを概ね収容して入口及び出口を画定するブロワハウジングと、このブロワハウジングに結合されるモータハウジングと、前記モータハウジングに支持され前記遠心ファンのハブに駆動可能に接続された駆動軸を有するモータを更に備え、
前記モータと動作可能に接続された少なくとも１つの電子部品と、
前記電子部品によって発生する熱を放散するために前記ファンによって生成された空気流の一部を受け取るために、少なくとも１つの前記電子部品と熱的に接合されて前記第２非回転シュラウドに配置されるヒートシンクを更に備えていることを特徴とする請求項２６に記載の遠心ブロワ。
【請求項３２】
前記ヒートシンクは、複数の前記第１羽根の各第２側縁に面する関係で、その表面と概ね同一面で前記第２非回転シュラウド内に埋設されていることを特徴とする請求項３１に記載の遠心ブロワ。
【請求項３３】
前記ファンを概ね収容して入口を画定するブロワハウジングを更に備え、このブロワハウジングは、当該ブロワハウジングに固定されて前記ブロワハウジングの前記入口開口の周りに配置される第１リングを備え、この第１リングは前記第１シュラウドの円筒状部と同心で内部に配置され、前記第１リングは少なくとも部分的に前記第１シュラウドの円筒状部と軸方向に重なり合い、前記ブロワハウジングに固定されて前記ブロワハウジングの前記入口開口の周りに配置される第２リングを備え、この第２リングは前記第１シュラウドの円筒状部と同心で外部に配置され、前記第２リングは少なくとも部分的に前記第１シュラウドの円筒状部と軸方向に重なり合い、前記第１リング、第２リング及び第１シュラウドの前記円筒状部との組み合わせにより、前記ファンの前記出口から排出される空気流が前記ファンの入口に再侵入するのを実質的に制限するために屈曲通路を画成することを特徴とする請求項７に記載の遠心ブロワ。
【請求項３４】
前記複数の第１羽根の第２側縁と一体となるハブの一部は、前記中心軸線と平行な方向に延びている、請求項１に記載の遠心ブロワ。
【請求項３５】
遠心ブロワであって、
(1)遠心ファンを備え、この遠心ファンは、
(I)中心軸の回りに回転するようにされたハブと、
(II)前記中心軸の回りに配置されてハブと共に回転するように連結された複数の羽根とを備え、この各羽根は、
(i)前記中心軸に略垂直な前縁と、
(ii)前記中心軸に略平行な後縁と、
(iii)前記前縁と後縁との間に延びる第１側縁であって、前記前縁から軸方向に離れる方向に前縁から延びて且つ前記後縁に向かって半径方向外側に延びる第１側縁と、
(iv)前記前縁と後縁の間に延びる第２側縁であって、前記第２側縁の一部は前記ハブの少なくとも一部と一体であり、前記前縁から軸線方向に離れる方向で前記前縁から延び且つ前記後縁に向かって半径方向外側に延びる第２側縁と、
(v)前記羽根の前縁の最外半径として画成される入口半径と、
(vi)複数の前記羽根の前記各第１側縁の少なくとも一部と一体であり共に回転する第１シュラウドとを備え、この第１シュラウドは、
(a)前記ハブと同心の円筒状部であって、前記ハブと円筒状部とは間に概ね環状で軸方向を向いた前記ファンの入口を画成し、円筒状部は前記羽根の前縁と前記羽根の第１側縁との交差部の上流に延びる円筒状部と、
(b)前記円筒状部から半径方向及び軸方向に延び、少なくとも部分的に略環状で半径方向外側を向いた前記ファンの出口を画成する釣鐘状部を備え、
前記遠心ファンは更に、
(III)前記第１シュラウドの最内半径として画成される中間半径と、
(IV)前記羽根を通って拡がりシリンダに接する面における湾曲であって、前記シリンダは前記羽根を通って延び前記中心軸に中心位置決めされ、前記シリンダは前記ハブの半径よりも大きく前記入口半径よりも小さい半径を持つ、前記湾曲と、
(V)前記羽根を通って拡がり前記シリンダに接する面における湾曲無しの面であって、前記シリンダは前記羽根を通って延び前記中心軸に沿って中心位置決めされ、前記シリンダは前記中間半径よりも大きな半径を持つ面とを備え、
前記ブロワは更に、
(2)前記ファンを概ね収容して入口開口を画成すると共に出口を画成する渦巻きを画成するブロワハウジングと、
(3)前記ブロワハウジング内に支持され前記ハブに対して駆動可能に連結された駆動軸を備えているモータと、
(4)前記モータへ動作可能に接続された少なくとも１つの電子部品と、
(5)前記ハブと同心で前記ブロワハウジング内に配置された第２非回転シュラウドであって、前記複数の羽根の各第２側縁に面する関係で緊密に近接し且つ前記複数の羽根の各第２側縁の輪郭に倣うように成形された面を備えており、前記第１シュラウドと第２非回転シュラウドが前記ファンの入口と出口との間に少なくとも部分的に空気通路を画成する第２非回転シュラウドと、
(6)前記第２非回転シュラウド内に配置され前記第２非回転シュラウドの前記面の輪郭に対応するように成形されたヒートシンクであって、前記少なくとも１つの電子部品に熱的に連結されたヒートシンクと、
(7)前記ブロワハウジングに固定され前記ブロワハウジングの入口開口の回りに位置決めされた第１リングであって、前記第１シュラウドの円筒状部と同軸で内部に入り、前記第１シュラウドの円筒状部と少なくとも部分的に軸方向に重なる第１リングと、
(8)前記ブロワハウジングに固定され且つ前記ブロワハウジングの入口開口の回りに位置決めされる第２リングであって、前記第１シュラウドの円筒状部と同軸で外部にあり、前記第１シュラウドの円筒状部と少なくとも部分的に軸方向に重なる第２リングであり、前記第１リング、第２リング及び前記第１シュラウドの円筒状部の組み合わせが、前記ファンの出口から排出される空気流が前記ファンの入口に再侵入するのを実質的に制限するために屈曲した通路を画成する第２リングと、
を備えていることを特徴とする遠心ブロワ。